(57)【要約】【課題】外観が向上するとともにハンドル周辺に塵埃がたまりにくく、掃除がしやすい回路遮断器を提供する。【解決手段】ケース２に軸支される軸部１０ａを有する主体部１０ｃと、主体部１０ｃに延設されケース２の上面に形成された開口部２ａから突出して電路を外部からオン・オフ操作するためのハンドル部１０ｄとで操作ハンドル１０を形成し、操作ハンドル１０がオンのときにハンドル部１０ｄが倒れ、オフのときにハンドル部１０ｄが起立するように起倒自在に設けた回路遮断器１において、操作ハンドル１０がオンのときはハンドル部１０ｄ全体が開口部２ａに嵌まって外側面がケース２の開口部２ａの上面と略面一となって開口部２ａを塞ぐとともに、操作ハンドル１０がオフのときはハンドル部１０ｄを除いて主体部１０ｃがケース２の開口部２ａの上面と略面一となって開口部２ａを塞ぐように形成する。【選択図】図１
2007087824.tif 000002
【特許請求の範囲】
【請求項１】
ケースに軸支される軸部を有する主体部と、該主体部に延設され前記ケースの上面に形成された開口部から突出して電路を外部からオン・オフ操作するためのハンドル部とで操作ハンドルを形成し、該操作ハンドルがオンのときにハンドル部が倒れ、オフのときにハンドル部が起立するように起倒自在に設けた回路遮断器において、前記操作ハンドルがオンのときは前記ハンドル部全体が前記開口部に嵌まって外側面が前記ケースの開口部の上面と略面一となって前記開口部を塞ぐとともに、前記操作ハンドルがオフのときは前記ハンドル部を除いて前記主体部が前記ケースの開口部の上面と略面一となって前記開口部を塞ぐようにしたことを特徴とする回路遮断器。
【発明の詳細な説明】
【技術分野】
【０００１】
本発明は、回路遮断器の操作ハンドルに関する。
【背景技術】
【０００２】
一般に回路遮断器は電路を外部からオン・オフ操作するための操作ハンドルがハンドル部を起倒自在にしてケースの上面に形成された開口部に設けられ、操作ハンドルはオン・オフどちらの場合でもハンドル部がケースの開口部から突出するようになっていた（特許文献１参照）。しかし、ハンドル部が突出したままでは外観が良くないため、操作ハンドルがオンのときはハンドル部がケースの上面と略面一となるようにして外観を向上したものもあった（特許文献２参照）。
【０００３】
【特許文献１】特開２００４−５５１７３号公報（図１、図２）
【特許文献２】特開２００５−２３５６７０号公報（図１、図２）
【発明の開示】
【発明が解決しようとする課題】
【０００４】
しかしながら、操作ハンドルがオンのときにハンドル部がケースの上面と略面一となるようにした従来の回路遮断器は開口部の一側端が低くなってケース上面が段状に形成されているため、操作ハンドルがオンの状態においてはハンドル部の外側面とケース上面の上段部が略面一となるが、ハンドル部の先端はケース上面の下段部と段違いとなって面一とならないし、また、操作ハンドルがオフの状態においても開口部が段状に形成されていることに加えて操作ハンドルの主体部が略円状に形成されているため、略面一にはならなかった。このため、外観が良くないし、塵埃がたまりやすい上に掃除がしづらいという欠点があった。
【課題を解決するための手段】
【０００５】
本発明は、ケースに軸支される軸部を有する主体部と、主体部に延設されケースの上面に形成された開口部から突出して電路を外部からオン・オフ操作するためのハンドル部とで操作ハンドルを形成し、操作ハンドルがオンのときにハンドル部が倒れ、オフのときにハンドル部が起立するように起倒自在に設けた回路遮断器において、操作ハンドルがオンのときはハンドル部全体が開口部に嵌まって外側面がケースの開口部の上面と略面一となって開口部を塞ぐとともに、操作ハンドルがオフのときはハンドル部を除いて主体部がケースの開口部の上面と略面一となって開口部を塞ぐようにしたことを特徴とする。
【発明の効果】
【０００６】
本発明によれば、外観が向上するとともにハンドル周辺に塵埃がたまりにくく、掃除がしやすくなるという効果がある。
【発明を実施するための最良の形態】
【０００７】
ケースに軸支される軸部を有する主体部と、主体部に延設されケースの上面に形成された開口部から突出して電路を外部からオン・オフ操作するためのハンドル部とで操作ハンドルを形成し、操作ハンドルがオンのときにハンドル部が倒れ、オフのときにハンドル部が起立するように起倒自在に設けた回路遮断器において、操作ハンドルがオンのときはハンドル部全体が開口部に嵌まって外側面がケースの開口部の上面と略面一となって開口部を塞ぐとともに、操作ハンドルがオフのときはハンドル部を除いて主体部がケースの開口部の上面と略面一となって開口部を塞ぐように形成する。
【実施例１】
【０００８】
本発明に係る回路遮断器の実施例１を図１及び図２の添付図面に基づいて説明する。
【０００９】
回路遮断器１は、ケース２の長手方向の両端に端子部３，３を備え、端子部３，３間には図１の左側から順に開閉接点４、過電流引き外し装置５、電磁引き外し装置６が配置され、これらが電気的に接続されて電路を構成し、ケース２の中央部に開閉接点４を開閉するための開閉機構部７と、過電流引き外し装置５及び電磁引き外し装置６の引き外し動作に連動する引き外し部材８が設けられ、開閉機構部７はリンク９を介して外部から電路をオン・オフ操作するための操作ハンドル１０に連結されている。
【００１０】
操作ハンドル１０はケース２に軸支される軸部１０ａとリンク９が連結する連結部１０ｂとを有する主体部１０ｃと、主体部１０ｃから延設されオフのときに起立してケース２の上面に形成された開口部２ａから突出するハンドル部１０ｄとで構成し、ハンドル部１０ｄはオンのときに倒れ、オフのときに起立するように起倒自在に設けられている。
【００１１】
ハンドル部１０ｄは図１のオフ位置から左方向に倒して図２のオン位置にすると主体部１０ｃが反時計方向に回動してリンク９を介して開閉機構部７を動作させることにより開閉接点４が閉成して電路がオンし、また、操作ハンドル１０をオンの状態で過電流引き外し装置５または電磁引き外し装置６が電路の異常を検出して動作すると引き外し部材８が回動し、開閉機構部７の係止が解除して開閉機構部７が動作することにより開閉接点４が開成して電路がオフするとともにリンク９を介して主体部１０ｃが時計方向に回動してハンドル部１０ｄが起立してオフ位置となる。
【００１２】
ハンドル部１０ｄはオン位置のときにハンドル部１０ｄ全体が開口部２ａに嵌まって外側面がケース２の開口部２ａの上面と略面一となって開口部２ａを塞ぐように形成され、主体部１０ｃはハンドル部１０ｄがオフ位置のときにハンドル部１０ｄを除いてケース２の開口部２ａの上面と略面一となって開口部２ａを塞ぐように形成されている。
【００１３】
このように操作ハンドル１０を形成したことでハンドル部１０ｄがオン位置であってもオフ位置であっても開口部２ａが凸凹しないので外観が向上するとともに、操作ハンドル１０周辺に塵埃がたまりにくく、掃除がしやすくなる。
【００１４】
尚、本実施例の回路遮断器は手動によるオフ操作ができないが、例えば、漏電保護機能や欠相保護機能などを備えた回路遮断器に適用した場合においてはこれらの機能を確認するためのテスト回路を用い、テストスイッチを押して保護機能を動作させることで電路をオフさせて操作ハンドルをオフにすることができ、また、図３に示すようにケース２の上面に押しボタン１１を設け、押しボタン１１の押し操作により引き外し部材８を動作させるようにすることで開閉機構部７との係止を解除して開閉機構部７を動作させ、電路をオフして操作ハンドル１０をオフにすることができる。
【図面の簡単な説明】
【００１５】
【図１】本発明に係る回路遮断器の操作ハンドルがオフの状態の断面図である。
【図２】本発明に係る回路遮断器の操作ハンドルがオンの状態の断面図である。
【図３】本発明に係る回路遮断器の変形実施例を示す断面図である。
【符号の説明】
【００１６】
１    回路遮断器
２    ケース
２ａ    開口部
１０    操作ハンドル
１０ａ    軸部
１０ｃ    主体部
１０ｄ    ハンドル部
【図１】
2007087824.tif 000003
【図２】
2007087824.tif 000004
【図３】
2007087824.tif 000005